(57)【要約】【課題】製造が容易で、襖紙の取り替えも簡単で、耐火性に優れる襖を提供する。【解決手段】中央部に配置された平板状の芯材２を備える襖１であって、芯材２は、中央部に配置された第１の珪酸カルシウム板２１と、第１の珪酸カルシウム板２１の四周を囲むように側面に固定された第２の珪酸カルシウム板２２とを備え、第２の珪酸カルシウム板２２は、第１の珪酸カルシウム板２１より比重が高い襖１である。【選択図】図１
2007291635.tif 000002
【特許請求の範囲】
【請求項１】
中央部に配置された平板状の芯材を備える襖であって、
前記芯材は、中央部に配置された第１の珪酸カルシウム板と、該第１の珪酸カルシウム板の四周を囲むように側面に固定された第２の珪酸カルシウム板とを備え、
前記第２の珪酸カルシウム板は、前記第１の珪酸カルシウム板より比重が高い襖。
【請求項２】
前記第１の珪酸カルシウム板の比重は、０．０５以上、０．４未満であり、
前記第２の珪酸カルシウム板の比重は、０．４以上、１．５以下である請求項１に記載の襖。
【請求項３】
前記第１の珪酸カルシウム板および前記第２の珪酸カルシウム板は、ゾノトライト系の珪酸カルシウムからなる請求項１または２に記載の襖。
【請求項４】
前記芯材の表裏面に、水酸化アルミニウム紙が取り付けられている請求項１から３のいずれかに記載の襖。
【請求項５】
前記芯材と前記水酸化アルミニウム紙との間に、表面が平らな下張紙を備える請求項４に記載の襖。
【請求項６】
前記芯材の表面にシーラー処理が施されている請求項４または５に記載の襖。
【発明の詳細な説明】
【技術分野】
【０００１】
本発明は、部屋などの空間を仕切る襖であって、製造が容易で、襖紙の取り替えが可能であり、耐火性を有する襖に関する。
【背景技術】
【０００２】
従来、部屋などの空間を仕切る襖として一般的な和襖などは、木製の骨組よりなる芯材の表裏面に襖紙が施されている構成であった。しかし、このような襖では、構造が複雑であるので、製造時に職人などの高度な熟練技能者を必要とし、簡単に製造することが困難であり、また、可燃性の材質から構成されているため、耐火性も低いという問題があった。
【０００３】
また、その他の襖としては、例えば図４に示すような、珪酸カルシウムからなる芯材１１２の表裏面に難燃性の表皮層１１８を形成した襖１１１が知られていたが、襖紙に当る表皮層１１８を和襖のように簡単に交換しようと思っても困難であり、重量も重いので襖としては実用的でなかった（特許文献１参照）。
【０００４】
また、例えば図５に示すような、木製の骨組よりなる空間に発泡石膏板材１２２を充填した芯材１２１の表裏面に、不燃性又は難燃性のシート材１２５を施した襖１２０も知られているが、この襖１２０は、構造が複雑で製造に手間を要するものであり、また、芯材１２１の骨組に木材を使用し、充填材として耐熱性の低い石膏を用いているので、火災時に１０００℃程度の高温にさらされると、芯材１２１が崩れ落ち、耐火性も十分とは言えなかった（特許文献２参照）。
【特許文献１】特開平５−１７１８７６号公報
【特許文献２】特開平８−０７４４７９号公報
【発明の開示】
【発明が解決しようとする課題】
【０００５】
本発明は、上記問題を解決するためになされたものであって、製造が容易で、襖紙の取り替えも簡単で、耐火性に優れる襖を提供することを目的とする。
【課題を解決するための手段】
【０００６】
本発明の前記目的は、中央部に配置された平板状の芯材を備える襖であって、前記芯材は、中央部に配置された第１の珪酸カルシウム板と、該第１の珪酸カルシウム板の四周を囲むように側面に固定された第２の珪酸カルシウム板とを備え、前記第２の珪酸カルシウム板は、前記第１の珪酸カルシウム板より比重が高い襖により達成される。
【０００７】
また、前記第１の珪酸カルシウム板の比重は、０．０５以上、０．４未満であり、前記第２の珪酸カルシウム板の比重は、０．４以上、１．５以下であることが好ましい。
【０００８】
また、前記第１の珪酸カルシウム板および前記第２の珪酸カルシウム板は、ゾノトライト系の珪酸カルシウムからなることが好ましい。
【０００９】
また、上記各襖は、前記芯材の表裏面に、水酸化アルミニウム紙が取り付けられていることが好ましい。
【００１０】
また、上記襖は、前記芯材と前記水酸化アルミニウム紙との間に、表面が平らな下張紙を備えることが好ましい。
【００１１】
また、前記芯材の表面にシーラー処理が施されていることが好ましい。
【発明の効果】
【００１２】
本発明の襖によれば、構造が簡単なので高度な熟練技能者でなくても簡単に製造することが可能であり、また、芯材の第２の珪酸カルシウム板に釘等の襖の縁材固定用の金具を保持することができるので、この金具を用いて襖の縁材を取り外し可能に固定でき、和襖のように襖紙を浮かし貼りで取り付けられ、芯材を変えることなく、新しい襖紙に簡単に取り替えることが可能である。
【００１３】
また、芯材が不燃性で耐熱性の高い珪酸カルシウム板で構成されているので、優れた耐火性（延焼防止効果）も得られる。
【００１４】
さらに、芯材が多孔性の珪酸カルシウム板で構成されているので、襖に調湿性能を付与することもでき、襖紙が水分を吸って伸びてシワになるのを防止できると共に、室内の調湿に寄与できる。
【発明を実施するための最良の形態】
【００１５】
以下、本発明の実施形態について添付図面を参照して説明する。図１は、本発明の一実施形態に係る襖１の正面図、図２は、図１のＡ−Ａ断面図である。
【００１６】
図１および図２に示すように、この襖１は、中央部に配置された平板状の芯材２と、芯材２の四周を囲むように側面に取り付けられた縁３と、縁３を芯材２に接合する複数の接合釘４とを備えている。ここで、本明細書中において「側面」とは、芯材２または後述する第１の珪酸カルシウム板の外周面において、襖１を敷居に設置した際に、襖１により仕切られる空間に面する面（表裏面）に直交するような面である。
【００１７】
芯材２は、珪酸カルシウム板からなり、中央部に配置された第１の珪酸カルシウム板２１と、第１の珪酸カルシウム板の四周を囲むように側面に固定された第２の珪酸カルシウム板２２とを備えており、第１の珪酸カルシウム板２１および第２の珪酸カルシウム板２２は、接着剤などにより接合されている。なお、第１の珪酸カルシウム板２１だけでもパネル（芯材）としての強度は有しているが、襖紙を取り替え自由に浮かし貼りするうえで、縁３を着脱可能な構造にする必要があり、その為には第１の珪酸カルシウム板２１の四周を囲むように側面に第２の珪酸カルシウム板２２を配置し、第２の珪酸カルシウム板２２に縁３を固定するための接合釘４などの縁材固定用の金具を取り付けられるようにする必要がある。上記以外の配置では、例えば、第２の珪酸カルシウム板２２を第１の珪酸カルシウム板２１の側面ではなく、表裏面に配置すると、上記金具を第１の珪酸カルシウム板２１の小口に取り付けることになり、第１の珪酸カルシウム板２１では上記金具を保持する力が足りないので、縁３を取り付けることができなくなる。
【００１８】
珪酸カルシウム板としては、珪酸カルシウムとガラス繊維などの繊維物質とを混合した公知のものを使用することができ、耐火性の点から、ゾノトライト系の珪酸カルシウムから製造されたものが好ましい。第２の珪酸カルシウム板２２は、第１の珪酸カルシウム２１板より比重が高く、縁材固定用金具の保持力を有する。また、第２の珪酸カルシウム板２２には、軽量で優れた縁材固定用金具の保持力を有する点から、樹脂が添加された珪酸カルシウム板が好ましく、例えば、特開平１−１１９５５４号公報、または、ＷＯ８８／１０３３８号公報に記載の珪酸カルシウム成形板を用いることができる。
【００１９】
また、芯材２の表面の全体または必要な部分には、シーラー処理が施され、襖紙を直接芯材に取り付ける場合は襖紙１１が、襖紙１１と芯材２との間に表面が平らな下張紙１２を介在させる場合は下張紙１２が、接着剤などを用いて芯材２に浮かし貼りで取り付けられており、また、図示しない公知の襖引手が取り付けられている。シーラー処理に用いる塗料としては、例えば、芯材２が珪酸カルシウム板である場合には、水ガラス系塗料が、芯材２が樹脂入り珪酸カルシウム板である場合には、ポリウレタン系樹脂塗料などが挙げられる。また、下張紙１２としては、襖紙１１の下に貼る公知のものを使用することができ、本実施形態では、茶ちり紙を用いている。また、襖紙１１としては、例えば、鳥の子紙や織物襖紙などの公知のものを使用することができるが、不燃性や難燃性を有するものが好ましく、本実施形態では、水酸化アルミニウム紙を用いている。
【００２０】
縁３は、木製、金属製、プラスチック製など公知のものを用いることができ、本実施形態では、木製でカシュー塗料が塗布されたものを用いている。また、縁３は、芯材２の上下の側面にそれぞれ取り付けられる棒状の上縁３ａ、下縁３ｂと、左右の側面にそれぞれ取り付けられる棒状の縦縁３ｃ、３ｄから構成されている。また、縁３には、軸方向に延びる接合溝１５が形成されている。
【００２１】
接合釘４は、胴部が第２の珪酸カルシウム板２２から露出するように第２の珪酸カルシウム板２２に刺し込まれ、芯材２の側面に略等間隔で保持されている。また、接合釘４は、接合溝１５に公知の方法で挿入されており、これにより、縁３が芯材２に取り付けられている。
【００２２】
以上の構成を備える襖１によれば、芯材２が珪酸カルシウム板から構成されているので、優れた耐火性を発揮することができる。また、芯材２が中央部に配置された第１の珪酸カルシウム板２１と、第１の珪酸カルシウム板２１の四周を囲むように側面に固定された第２の珪酸カルシウム板２２とを備え、第２の珪酸カルシウム板２２が第１の珪酸カルシウム板２１より比重が高いので、中央部の第１の珪酸カルシウム板２１の比重を低くすることができる一方、周縁部の第２の珪酸カルシウム板２２の比重を高くすることができる。したがって、芯材２の中央部を軽くすることにより、襖１全体の重量を軽くすることができるので、襖１を容易に開閉することができる一方、芯材２の周縁部の比重を、接合釘４が確実に保持される程度の比重にすることにより、縁３を芯材２に着脱自在に固定することができるので、襖紙１１の浮かし貼りが可能となり、襖紙１１の取り替えが自由にできる。また、構造が簡単なので、製造も容易である。
【００２３】
また、芯材２の表裏面に水酸化アルミニウム紙が取り付けられているので、さらに優れた耐火性を発揮することができる。
【００２４】
また、芯材２と襖紙１１との間に下張紙１２が介在しているので、芯材２の表裏面の凹凸が目立たなくなり、襖紙１１をきれいに取り付けすることができる。
【００２５】
また、シーラー処理が芯材２の表面の全体または必要な部分に施されているので、芯材２と下張紙１２との接着性を良好にすることができる。また、下張紙１２を設けない場合には、芯材２と襖紙１１との接着性を良好にすることができる。また、シーラー処理することにより、芯材２の発塵を抑えることもできるほか、第１の珪酸カルシウム板２１と第２の珪酸カルシウム板２２とを接着剤により固定する場合に、接着性を良好にすることができる。
【００２６】
本実施形態において、第１の珪酸カルシウム板２１の比重は、低すぎると、芯材２の強度が低下するおそれがある一方、高すぎると、芯材２が重くなり、襖１の開閉が煩わしくなるので、０．０５以上、０．４未満が好ましく、０．１以上、０．３５以下がより好ましい。また、第２の珪酸カルシウム板２２の比重は、低すぎると、釘などの縁材固定用金具の保持力が低下し、接合釘４が第２の珪酸カルシウム板２２から抜け落ちて縁３が芯材２から脱落するおそれがある一方、高すぎると、芯材２が重くなり、襖１の開閉が煩わしくなるので、０．４以上、１．５以下が好ましく、０．５以上、０．７以下がより好ましい。また、第２の珪酸カルシウム板２２の幅ｄは、狭すぎると、接合釘４が第２の珪酸カルシウム板２２から抜け落ちるおそれがある一方、広すぎると、芯材２が重くなるので、１５〜５０ｍｍが好ましい。
【実施例】
【００２７】
以下、実施例および比較例を用いて、本発明をさらに詳細に説明する。ただし、本発明が本実施形態に限定されるものではない。
【００２８】
実施例として図１に示す襖１を、また、比較例として一般的な襖（株式会社トヨダ襖店製）を用いて、耐火性能試験を行った。
【００２９】
実施例では、芯材２の第１の珪酸カルシウム板２１を、比重が０．３の珪酸カルシウム板とし、第２の珪酸カルシウム板２２を、比重が０．６の樹脂入り珪酸カルシウム板とし（いずれも日本インシュレーション株式会社製）、襖紙１１を水酸化アルミニウム紙（ルノン株式会社製）とした。また、下張紙１２を茶ちり紙とし、縁３をカシュー塗料が塗布された木製のものとし、襖引手を鉄製のものとした（いずれも汎用品）。この襖１は、構造が簡単なので、製造が容易であり、襖紙１１の取り替えも自由にできる。
【００３０】
比較例の構成は、芯材２を骨組みされた木材とし、襖紙１１を新鳥の子襖紙とした（いずれも汎用品）他は、実施例と同じ構成である。
【００３１】
図３に示すように、２枚の襖１を、縁３ｃ、３ｄの側面が互いに密着するように並べて、襖１の縁３ｃ、３ｄの密着部分を中心として表面から、ＩＳＯ８３４の標準加熱曲線に従って２０分加熱し、実施例および比較例について、襖１の密着部分の裏面から煙が発生するまでの時間、襖１の密着部分の裏面から炎が発生するまでの時間、および、襖１の裏面の襖紙１１が焼失するまでの時間をそれぞれ測定した。
【００３２】
【表１】
2007291635.tif 000003
その結果、表１に示すように、全ての測定時間において、実施例が比較例より長い値を示しており、さらに、比較例では、襖１の密着部分の裏面から炎が発生するとほぼ同時に炎が裏面に燃え広がり、裏面の襖紙１１が焼失し、表面側の炎が裏面側へ貫通したのに対し、実施例では、加熱開始から８．５分後に、襖１の密着部分の裏面から炎が発生したものの、襖１の裏面の襖紙１１は焼失せず、表面側の炎が裏面側へ貫通することがなかったので、本発明に係る襖が優れた耐火性も有していることが確認できた。
【図面の簡単な説明】
【００３３】
【図１】本発明の一実施形態に係る襖の正面図である。
【図２】図１のＡ−Ａ断面図である。
【図３】実施例を説明するための図である。
【図４】従来の襖（特開平５−１７１８７６号公報）の縦断面図である。
【図５】従来の襖（特開平８−０７４４７９号公報）の縦断面図である。
【符号の説明】
【００３４】
１  襖
２  芯材
３  縁
４  接合釘
１１  襖紙
１２  下張紙
１５  接合溝
２１  第１の珪酸カルシウム板
２２  第２の珪酸カルシウム板
【図２】
2007291635.tif 000004
【図４】
2007291635.tif 000005
【図５】
2007291635.tif 000006
【図１】
2007291635.tif 000007
【図３】
2007291635.tif 000008